(57)【特許請求の範囲】
【請求項１】
架台に水平に回転駆動軸を支承すると共に該回転駆動軸を架台に固定した駆動モータをもって回転すべくなし、前記回転駆動軸の軸方向の両端部近傍に一対の円形支持板を平行に固着し、該一対の円形支持板間に前記回転駆動軸を囲むようにして同心的に複数の開閉蓋付き回転筒を支承し、更に該開閉蓋付き回転筒を所要の駆動機構を介して夫々自転すべくなし、該開閉蓋付き回転筒に、発泡スチロールからなり、蝶番を介して開閉自在となした補助筒内にラミネートチューブ入り半田を保持した状態において収容するようになしたことを特徴とするラミネートチューブ入り半田攪拌機。
【請求項２】
架台と、該架台に水平に支承した回転駆動軸と、前記架台に固定した駆動モータと、該駆動モータの回転軸及び前記回転駆動軸の前記架台から突出した端部に夫々固着したプーリ及びこれらのプーリ間に掛け回したベルトと、前記回転駆動軸の軸方向の両端部近傍に平行して固着した一対の円形支持板と、該一対の円形支持板間に前記回転駆動軸を囲むようにして同心的に支承し、且つ夫々は前記プーリ側の端部の軸部を該円形支持板から突出させた複数の開閉蓋付き回転筒と、該開閉蓋付き回転筒の前記円形支持板から突出する軸部に固着したプーリ及び該プーリ間に掛け回したベルトと、前記複数の開閉蓋付き回転筒の内の一つの開閉蓋付き回転筒の軸部及び前記回転駆動軸の前記架台の内方における部分に夫々固着したプーリ及びこれらプーリ間に掛け回したベルトと、内部にラミネートチューブ入り半田を保持した状態において前記開閉蓋付き回転筒に収容するための、発泡スチロールからなり、蝶番を介して開閉自在となした補助筒とからなるラミネートチューブ入り半田攪拌機。
【発明の詳細な説明】
【０００１】
【発明の属する技術分野】
本発明はラミネートチューブ入り半田攪拌機に関するものである。
【０００２】
【従来の技術】
スクリーン印刷機においては印刷材として半田を用いるが、この半田は従来カップに入っていた。そしてメーカーで半田をカップに充填したものを冷蔵庫で保管し、使用する際に攪拌して固まった状態から和らかくするものである。
【０００３】
そしてまた、この攪拌は、半田を充填したカップを攪拌機により水平に回転させることによって行っていた。尚、該カップの高さは約１０ｃｍである。ところで、最近図８に示す如きラミネートチューブ入り半田が用いられるようになってきた。該ラミネートチューブ入り半田１００は、ラミネートチューブ１０１に半田１０２を充填し、出口１０３に使用する迄のシール用の粘着テープ１０４を貼付してなるものである。
【０００４】
【発明が解決しようとする課題】
斯かるラミネートチューブ入り半田の場合には、その全体の長さＬが従来のカップの約２倍である。このためカップを立てて水平に回す従来の攪拌機で行おうとすると高くなり過ぎることになる。そしてまた半田を充填した状態における重量は５００ｇにもなり、これを立てた状態で水平に回転させることは遠心力の関係でバランスをとりずらい。
【０００５】
本発明は上記の点に鑑みなされたものであって、ラミネートチューブ入り半田を収容する開閉蓋付き回転筒を、水平に倒した状態においてそれ自体を自転させつつ垂直方向に公転させ、もって上記問題点を解消することができるようになすと共に攪拌効率も一段と向上するようになしたラミネートチューブ入り半田攪拌機を提供せんとするものである。
【０００６】
【課題を解決するための手段】
而して、本発明の要旨は、架台に水平に回転駆動軸を支承すると共に該回転駆動軸を架台に固定した駆動モータをもって回転すべくなし、前記回転駆動軸の軸方向の両端部近傍に一対の円形支持板を平行に固着し、該一対の円形支持板間に前記回転駆動軸を囲むようにして同心的に複数の開閉蓋付き回転筒を支承し、更に該開閉蓋付き回転筒を所要の駆動機構を介して夫々自転すべくなし、該開閉蓋付き回転筒に、発泡スチロールからなり、蝶番を介して開閉自在となした補助筒内にラミネートチューブ入り半田を保持した状態において収容するようになしたことを特徴とするラミネートチューブ入り半田攪拌機にある。
【０００７】
また、上記構成は、更に具体的には、架台と、該架台に水平に支承した回転駆動軸と、前記架台に固定した駆動モータと、該駆動モータの回転軸及び前記回転駆動軸の前記架台から突出した端部に夫々固着したプーリ及びこれらのプーリ間に掛け回したベルトと、前記回転駆動軸の軸方向の両端部近傍に平行して固着した一対の円形支持板と、該一対の円形支持板間に前記回転駆動軸を囲むようにして同心的に支承し、且つ夫々は前記プーリ側の端部の軸部を該円形支持板から突出させた複数の開閉蓋付き回転筒と、該開閉蓋付き回転筒の前記円形支持板から突出する軸部に固着したプーリ及び該プーリ間に掛け回したベルトと、前記複数の開閉蓋付き回転筒の内の一つの開閉蓋付き回転筒の軸部及び前記回転駆動軸の前記架台の内方における部分に夫々固着したプーリ及びこれらプーリ間に掛け回したベルトと、内部にラミネートチューブ入り半田を保持した状態において前記開閉蓋付き回転筒に収容するための、発泡スチロールからなり、蝶番を介して開閉自在となした補助筒とをもって構成するようにしてもよい。
【０００８】
【発明の実施の形態】
以下、本発明の実施の形態について図面を参照しつつ説明する。
図１は一部断面で示した正面図、図２は左側面図、図３は右側面図、図４は平面図、図５は開閉蓋付き回転筒の分解した状態の正面図、図６は作用説明図、図７は補助筒の斜視図、図８はラミネートチューブ入り半田の説明図である。
【０００９】
図中、１は架台である。尚、図面においてはカバーを省略して示している。また、１ａは後記回転駆動軸を回転自在に支承するためのベアリングである。２は該架台１に水平に支承した回転駆動軸である。また、該回転駆動軸２はその一端側を架台１から突出させている。尚、２ａは突出部分である。
【００１０】
３は前記架台１に固定した駆動モータであり、前記回転駆動軸２の回転駆動源となるものである。４は前記駆動モータ３の回転軸３ａに固着したプーリ、５は前記回転駆動軸２の前記架台１から突出した端部２ａに固着したプーリ、６はこれらプーリ４、５間に掛け回したベルトである。
【００１１】
７、７は前記回転駆動軸２の軸方向の両端部近傍に平行して固着した一対の円形支持板である。８、８は前記一対の円形支持板７、７間に前記回転駆動軸２を囲むようにして同心的に支承し、且つ夫々とは前記プーリ４、５側の端部の軸部８aを該円形支持板７、７から突出させた開閉蓋８b付き回転筒である。また、本実施形態では該開閉蓋付き回転筒８は４本としているが、これより多くしてもよいし、逆に少なくしてもよい。そして、これら開閉蓋付き回転筒８は夫々ベアリング９を介して前記一対の円形支持板７、７に回転自在に支承している。
【００１２】
１０、１０は前記開閉蓋付き回転筒８、８の前記円形支持板７から突出する軸部８ａに夫々固着したプーリ、１１は該プーリ１０、１０間に掛け回したベルトである。１２、１２は円形支持板７に設けたテンションプーリである。
【００１３】
１３は前記複数の開閉蓋付き回転筒８、８の内の一の開閉蓋付き回転筒の軸部に固着したプーリ、１４は前記回転駆動軸２の前記架台１の内方における部分に固着したプーリ、１５はこれらプーリ１３、１４間に掛け回したベルトである。
【００１４】
１６はラミネートチューブ入り半田を前記開閉蓋付き回転筒８内に収容するときに用いる補助筒である。また、該補助筒１６は発泡スチロール等からなり、蝶番１７を介して開閉自在としている。
【００１５】
次に、本実施形態の作用について説明する。
ラミネートチューブ入り半田を補助筒１６に入れて開閉蓋付き回転筒８、８内に収容する。この状態において駆動モータ３を作動させると、プーリ４、５及びベルト６を介して回転駆動軸２が回転する。そしてこれにより一対の円形支持板７、７が回転し、これの間に支承された複数（４本）の開閉蓋付き回転筒８、８は回転駆動軸２を中心として回転する。したがって、これら開閉蓋付き回転筒８、８は回転駆動軸２を中心として垂直方向に公転する。そしてまた、これと同時にプーリ１３、１４及びベルト１５を介して複数の開閉蓋付き回転筒８、８の内の一の開閉蓋付き回転筒の軸部が回転する。そして全ての開閉蓋付き回転筒８、８の軸部８aに固着したプーリ１０、１０とこれらに掛け回したベルト１１とによって全ての開閉蓋付き回転筒８、８が自転するものである。これによって４本の開閉蓋付き回転筒８、８内に収納したラミネートチューブ入り半田は攪拌されるものである。
【００１６】
【発明の効果】
本発明は上記の如き構成、作用であり、ラミネートチューブ入り半田を収容する開閉蓋付き回転筒を、水平に倒した状態においてそれ自体を自転させつつ回転駆動軸を中心にして垂直方向に公転させるものである。したがって、高さの点における問題点を解消することができると共に、回転時におけるバランスもとりやすいものである。加えて攪拌効率も一段と向上するものである。
【図面の簡単な説明】
【図１】本発明の一部断面で示した正面図である。
【図２】本発明の左側面図である。
【図３】本発明の右側面図である。
【図４】本発明の平面図である。
【図５】開閉蓋付き回転筒の分解した状態の正面図である。
【図６】本発明の作用説明図である。
【図７】補助筒の斜視図である。
【図８】ラミネートチューブ入り半田の説明図である。
【符号の説明】
１  架台
２  回転駆動軸
３  駆動モータ
７、７  一対の円形支持板
８、８  開閉蓋付き回転筒
１０、１０  プーリ
１１  ベルト
１３、１４  プーリ
１５  ベルト
【図１】
0004303904.tif 000002
【図２】
0004303904.tif 000003
【図３】
0004303904.tif 000004
【図４】
0004303904.tif 000005
【図５】
0004303904.tif 000006
【図６】
0004303904.tif 000007
【図７】
0004303904.tif 000008
【図８】
0004303904.tif 000009